(57)【要約】  【課題】  一定の方向から組み立てることができず、その為、機械によって組み立てる場合にあっても複雑な工程を経なければならず、生産性を悪いものとなしてしまっていた。具体的に説明すると、前述したように、先ず、スプリングと流量調整部材をチップ本体の後端開口部から挿入し、次いで、そのチップ本体をリフィールの前端開口部に挿着しなければならないのである。即ち、後方からの組み立てと前方からの組み立てが混在してしまうのである。  【解決手段】  インキが収納されたインキ収容管の先端にボールペンチップが配置され、そのボールペンチップ内に配置されたボールをボールペンチップの先端の方向に向けて付勢する弾発部材が配置された筆記体であって、前記インキ収容管内に弾発部材の後端が当接する筒状部材を配置すると共に、その筒状部材にインキ流通孔を形成した筆記体。【選択図】  図２
2008110555.tif 000002
【特許請求の範囲】
【請求項１】
インキが収納されたインキ収容管の先端にボールペンチップが配置され、そのボールペンチップ内に配置されたボールをボールペンチップの先端の方向に向けて付勢する弾発部材が配置された筆記体であって、前記インキ収容管内に弾発部材の後端が当接する筒状部材を配置すると共に、その筒状部材にインキ流通孔を形成したことを特徴とする筆記体。
【請求項２】
前記筒状部材の前端面をボールペンチップの後端面に当接させたことを特徴とする請求項１記載の筆記体。
【発明の詳細な説明】
【技術分野】
【０００１】
本発明は、インキが収納されたインキ収容管の先端にボールペンチップが配置され、そのボールペンチップ内に配置されたボールをボールペンチップの先端の方向に向けて付勢する弾発部材が配置された筆記体に関する。
【背景技術】
【０００２】
チップ本体の先端内部に転写ボールを回転可能に抱持させ、該転写ボールをスプリングにて前方に付勢せしめて内向き先端縁に接触させてなる筆記具用チップに於いて、チップ本体の後端内部に、液導入孔を有する流量調節部材を配設し、該流量調節部材にスプリングの後端を衝合係止せしめた筆記具用チップが知られている。
【０００３】
【特許文献１】特開平１０−３２９４７６号公報
【発明の開示】
【発明が解決しようとする課題】
【０００４】
上記の従来技術にあっては、チップ本体の後端部開口部からスプリングを挿入し、次いで、流量調節部材もチップ本体の後端部開口部から挿入・圧入し筆記具用チップを組み立てている。そして、その組み立てられた筆記具用チップを液タンクの前端開口部から挿入・圧入しボールペンのリフィールを組み立てている。
しかし、前記リフィールを組み立てるには些か問題があった。つまり、一定の方向から組み立てることができず、その為、機械によって組み立てる場合にあっても複雑な工程を経なければならず、生産性を悪いものとなしてしまっていた。具体的に説明すると、前述したように、先ず、スプリングと流量調整部材をチップ本体の後端開口部から挿入し、次いで、そのチップ本体をリフィールの前端開口部に挿着しなければならないのである。即ち、後方からの組み立てと前方からの組み立てが混在してしまうのである。
【課題を解決するための手段】
【０００５】
本発明は、インキが収納されたインキ収容管の先端にボールペンチップが配置され、そのボールペンチップ内に配置されたボールをボールペンチップの先端の方向に向けて付勢する弾発部材が配置された筆記体であって、前記インキ収容管内に弾発部材の後端が当接する筒状部材を配置すると共に、その筒状部材にインキ流通孔を形成したことを要旨とする。
【発明の効果】
【０００６】
本発明は、インキが収納されたインキ収容管の先端にボールペンチップが配置され、そのボールペンチップ内に配置されたボールをボールペンチップの先端の方向に向けて付勢する弾発部材が配置された筆記体であって、前記インキ収容管内に弾発部材の後端が当接する筒状部材を配置すると共に、その筒状部材にインキ流通孔を形成したので、インキ収容管に対し、筒状部材や弾発部材、並びに、ボールペンチップを一定の方向から組み立てることができ、生産性を向上させることができる。
【発明を実施するための最良の形態】
【０００７】
軸筒１は、ポリエチレンテレフタレートやポリカーボネート、ポリオキシメチレンなどの樹脂材質からなる前軸２と後軸３から構成されており、それら前軸２と後軸３は螺着などの手段によって着脱自在に固定されている。その前軸１の把持する部分には、シリコーンゴムや天然ゴム、発泡ウレタンなどからなるグリップ部材４が挿着されているが、ローレット加工などを施すなどしてグリップ部を前軸２の表面に一体成形などしても良い。他方、前記後軸３の後部内側には、カム筒５や回転子６、摺動子７などから構成される、所謂、デビットカムと称される出没カム機構８が配置されており、前記摺動子７の後部にはノックキャップ９が後軸３の後端開口部から突出した状態で取り付けられている。
【０００８】
前記軸筒１の内側には、ボールペンリフィル１０が前後動可能に配置されているが、そのボールペンリフィル１０の後端は、前記回転子６の前端凹部１１に嵌まり込み・接触している。そして、ボールペンリフィル１０の中間部には突出部１２が形成されており、その突出部１２と前記前軸２の内面に形成された段部１３との間には、コイルスプリングなどの弾発部材１４が張設されている。その弾発部材１４によって前記ボールペンリフィル１０が後方に向けて付勢されているのである。即ち、前記ノックキャップ９を前方に向けて押圧すれば、ボールペンリフィル１０も弾発部材１４の弾発力に抗して前進し、前軸２の先端開口部から突出するのである。
ボールペンリフィル１０は、インキを収納するインキ収容管１５と、そのインキ収容管１５の前方に圧入されたボールペンチップ１６などから構成されている。前記インキ収容管１５は、ポリプロピレン、ポリエチレンやポリエチレンテレフタレート、ポリエチレンナフタレートなどの樹脂材質から形成されているが、これに限定されることはなく、ステンレスや真鍮などの金属材質から構成しても良い。また、前記ボールペンチップ１６の材質としては、ポリオキシメチレンなどの樹脂材質であっても良く、ステンレスや洋白などの金属材質としても良い。
前記インキ収容管１５の前方内面には、筒状部材１７が圧入されており、その筒状部材１７には、収容されるインキの粘度に適した内径のインキ流通孔１８が形成されている。また、そのインキ流通孔１８の内径は、落下などによってボールペンリフィル１０に衝撃を受けた際、インキ収容管１５に収納されているインキが容易には移動しない内径となっている。つまり、そのインキ流通孔１８によって、過大なインキの吐出が防止されているのである。また、インキ収容管１５の後方からの衝撃による、ボールペンチップ１６の開口部からの空気の侵入なども防止している。つまり、通常は弾発部材１４の付勢力によって前記ボールペンチップ１６の開口部はボール２０を介して閉じられているが、後方からの衝撃力によってボール２０が弾発部材１４の付勢力に抗して後退し、その後退した開口部から空気がボールペンチップ１６内に侵入してしまうのである。
【０００９】
前記ボールペンチップ１６の後方部には、縮径部１６ａが形成されており、その縮径部１６ａが、前記インキ収容管１５の前端内面に圧入されている。また、前記ボールペンチップ１６の内部には、インキ流通路１９が形成されており、そのインキ流通路１９の先端開口部には、ボール２０が回転自在に取り付けられている。そして、そのボール２０の後方には金属材質や樹脂材質などからなるコイルスプリング２１が配置されているが、そのコイルスプリング２１の前方に形成された直線部２２が前記ボール２０に接触している。尚、その直線部２１の先端が位置する前記ボールペンチップ１６の内径部１６ｂは、直線部２１の外径よりも若干大きなものとなっている。その内径部１６ａは、インキは流通するものの、直線部２１がボール２０の回転動作などによって振動しない内径、即ち、直線部２１のガイド部としても作用している。
一方、コイルスプリング２１の後方には座巻き部２３が形成されており、その座巻き部２３の後端部と、ボールペンチップ１６の後端開口部の位置を同一なものとしている。そして、その座巻き部２３の後端は、前記筒状部材１７の前端面に当接している。つまり、コイルスプリング２１は、筒状部材１７によってボールペンチップ１６（インキ流通路１９）からの脱落が防止されているのである。
前記筒状部材１７は、ボールペンチップ１６の後端部に当接しているが、コイルスプリング２１のボール２０に対する付勢力を弱める（調節する）ために、若干後方に移動させ、固定しても良い（図５参照）。しかし、筒状部材１７とボールペンチップ１６との間に隙間２４が発生し、気泡や不純物などが遅滞してしまい、インキの突出不良による筆記かすれなどが発生してしまう危険性がある。よって、筒状部材１７の前端部をボールペンチップ１６の後端部に当接させるのが好ましい。
【００１０】
次に、前記ボールペンリフィル１０の組み立て方法について説明する。例えば、コンベアなどから搬送されるインキ収容管１５の前方開口部から注射針など細い注入管を差し込みインキを充填し、次いで、筒状部材１７もインキ収容管１５の開口部の方向から挿入する。この筒状部材１７は、正確な位置まで挿入しても良いが、若干、正規の位置よりも手前（前方）の位置までとしても良い。挿着位置のばらつき、特に、正規の位置よりも奥側（後方）へ挿着されてしまう事態を考慮してのことである。また、前記インキの充填は、インキ収容管１５の前方開口部近傍まで、具体的には、筒状部材１７がインキに埋没する位置まで充填する。
次いで、コイルスプリング２１もインキ収容管１５の前端開口部から挿着し、次いで、ボールペンチップ１６をインキ収容管１５の内径部に挿着する。このとき、ボールペンチップ１６の後端部は、前記筒状部材１７の前端部に当接する。しかし、筒状部材１７が正規の位置よりも手前に位置している場合には、ボールペンチップ１６の挿着過程において、そのボールペンチップ１６の後端部が筒状部材１７の前端部に当接し、その当接を維持した状態で筒状部材１７が押圧・挿入され、正規の位置へと配置される。よって、ボールペンチップ１６の後端部と筒状部材１７の前端部との間には、隙間が形成されること無く、正確に組み立てることができる。
この様に、本発明においては、ボールペンリフィル１０の前方開口部の方向から、インキや筒状部材１７、コイルスプリング２１、並びに、ボールペンチップ１６を挿着することだでき、組み立てることができ。
尚、ボールペンチップ１６をインキ収容管１５に挿着させた際、内部に位置するコイルスプリング２１の後端部（座巻き部２３）が筒状部材１７の前端部に前述の通り当接するが、コイルスプリング２１の直線部２２の前端部がボール２０に当接する。これによって、ボール２０がコイルスプリング２１によって前方に付勢され、ボールペンチップ１６の前方開口部が閉鎖せしめられることになる。しかし、筆記の際には、ボール２０が筆記圧によって後退し、その後退動作によってボールペンチップ１６の前方開口部が開口し、インキの吐出が可能となる。
【図面の簡単な説明】
【００１１】
【図１】１例を示す外観図。
【図２】図１の縦断面図。
【図３】図２を９０度回転させたときの縦断面図。
【図４】図２の要部拡大図。
【図５】変形例を示す要部拡大縦断面図。
【符号の説明】
【００１２】
１      軸筒
２      前軸
３      後軸
４      グリップ部材
５      カム筒
６      回転子
７      摺動子
８      出没カム機構
９      ノックキャップ
１０    ボールペンリフィル
１１    凹部
１２    突出部
１３    段部
１４    弾発部材
１５    インキ収容管
１６    ボールペンチップ
１７    筒状部材
１８    インキ流通孔
１９    インキ流通路
２０    ボール
２１    コイルスプリング
２２    直線部
２３    座巻き部
２４    隙間
【図１】
2008110555.tif 000003
【図２】
2008110555.tif 000004
【図３】
2008110555.tif 000005
【図４】
2008110555.tif 000006
【図５】
2008110555.tif 000007